(57)【要約】【課題】追加の又はより多くの商品情報を表示する薄板を保持しうる商品情報表示用ボードを提供すること。【解決手段】商品情報表示用ボード（６０）は、商品情報を表す一枚の薄板（１６）を保持するための上下に相対する一対の溝（１２）と、商品情報を表す複数枚の薄板（１８）をそれぞれ受け入れかつ表示するための複数の窓（１４）とが共に設けられた両面を有する第１のボード（１０）と、第１のボードの上方に配置されかつこれに結合された第２のボードであって商品情報を表す一枚の薄板（１６）を保持するための上下に相対する一対の溝（６４）が共に設けられた両面を有する第２のボード（６２）とを含む。第１のボードの両溝の相互間隔と前記第２のボードの両溝の相互間隔とは等しく、また第１のボードの上方の溝と第２のボードの下方の溝とが互いに近接している。【選択図】図５
0003103473.tif 000002
【実用新案登録請求の範囲】
【請求項１】
商品情報を表す一枚の薄板を保持するための上下に相対する一対の溝と、商品情報を表す複数枚の薄板をそれぞれ受け入れかつ表示するための複数の窓とが共に設けられた両面を有する第１のボードと、
該第１のボードの上方に配置されかつこれに解除可能に結合された第２のボードであって商品情報を表す一枚の薄板を保持するための上下に相対する一対の溝が共に設けられた両面を有する第２のボードとを含み、
前記第１のボードの両溝の相互間隔と前記第２のボードの両溝の相互間隔とが等しく、また前記第１のボードの上方の溝と前記第２のボードの下方の溝とが互いに近接している、商品情報表示用ボード。
【請求項２】
前記第１のボードは、前記一対の溝と前記複数の窓とが設けられた一の片面を有する同一形状の一対のフレームからなり、両フレームはこれらの他の片面が対向した状態で互いに結合されている、請求項１に記載の商品情報表示用ボード。
【請求項３】
両フレームは、それぞれ、これらを互いに結合するために設けられた互いに係止可能である複数の凸部及び複数の凹部を有する、請求項２に記載の商品情報表示用ボード。
【請求項４】
前記第１のボードは被係止部が設けられた上端部を備え、また前記第２のボードは前記被係止部に係止可能である係止部が設けられた下端部を備える、請求項１〜３のいずれか１項に記載の商品情報表示用ボード。
【請求項５】
前記第２のボードは、さらに、他の第２のボードの下端部の係止部が係止可能である被係止部が設けられた上端部を備える、請求項１〜４のいずれか１項に記載の商品情報表示用ボード。
【請求項６】
さらに、前記第２のボードの上端部に設けられた被係止部と、該被係止部に係止可能である係止部を有する少なくとも一つのハンガーとを含む、請求項１〜３のいずれか１項に記載の商品情報表示用ボード。
【考案の詳細な説明】
【技術分野】
【０００１】
本考案は、商品の名称、産地、価格、特記事項等の商品情報を表示するために用いられる商品情報表示用ボードに関する。
【背景技術】
【０００２】
従来、生鮮食料品、文具等の商品を取り扱うスーパーマーケットのような小売店における商品情報表示のためのボードが提案されている。
【０００３】
【特許文献１】登録実用新案第３０７９７１１号公報
【考案の開示】
【考案が解決しようとする課題】
【０００４】
前記従来の商品情報表示用ボードは、その両面のそれぞれに、商品情報を表示する紙片のような薄板を止めることができるクリップを有する。しかし、両面にそれぞれクリップで留められた２枚の薄板に表示することができる情報の量は限られており、さらに、他の薄板を追加して行う商品情報の表示は困難である。
【０００５】
本考案の目的は、追加の又はより多くの商品情報を表示する薄板を保持しうる商品情報表示用ボードを提供することにある。
【課題を解決するための手段】
【０００６】
本考案に係る一の商品情報表示用ボードは、商品情報を表す一枚の薄板を保持するための上下に相対する一対の溝と、商品情報を表す複数枚の薄板をそれぞれ受け入れかつ表示するための複数の窓とが共に設けられた両面を有する第１のボードと、該第１のボードの上方に配置されかつこれに解除可能に結合された第２のボードであって商品情報を表す一枚の薄板を保持するための上下に相対する一対の溝が共に設けられた両面を有する第２のボードとを含み、前記第１のボードの両溝の相互間隔と前記第２のボードの両溝の相互間隔とが等しく、また前記第１のボードの上方の溝と前記第２のボードの下方の溝とが互いに近接している。
【０００７】
前記第１のボードは、好ましくは、前記一対の溝と前記複数の窓とが設けられた一の片面を有する同一形状の一対のフレームからなり、両フレームはこれらの他の片面が対向した状態で互いに結合される。両フレームは、それぞれ、これらを互いに結合するために設けられた互いに係止可能である複数の凸部及び複数の凹部を有するものとすることができる。
【０００８】
前記第１のボードは被係止部が設けられた上端部を備え、また前記第２のボードは前記被係止部が係止可能である係止部が設けられた下端部を備えるものとすることができる。また、前記第２のボードは、他の第２のボードの下端部の係止部が係止可能である被係止部が設けられた上端部を備えるものとすることができる。あるいは、前記第２のボードの上端部に設けられた被係止部と、該被係止部に係止可能である係止部を有する少なくとも一つのハンガーとを含むものとすることができる。
【考案の効果】
【０００９】
本考案によれば、第１のボードにおける上下一対の溝及び第２のボードにおける上下一対の溝のそれぞれに、一枚の薄板の上下両縁部を差し入れてこれを前記各ボードに保持することができる。前記薄板には、例えば商品の名称、その産地その他の商品情報を表すことができる。また、前記第１のボードにおける複数の窓に表示される薄板のそれぞれには商品の価格を示すための一の数字を表し、複数の窓に現れる一連の数字をもって前記商品の価格とすることができる。
【００１０】
本考案にあっては、前記第１のボードにおける一対の溝の相互間隔と、前記第２のボードにおける一対の溝の相互間隔が等しいことから、各対の溝に保持される一枚の薄板として、同一サイズのもの、例えば規格サイズのものを採用することができる。
【００１１】
さらに、前記第１のボードにおける一対の溝のうちの下方の溝と、その上方に位置する第２のボードにおける一対の溝のうちの上方の溝とを用いて、よりサイズの大きい一枚の薄板を保持することができる。このとき、残りの溝すなわち前記第１のボードにおける上方の溝と前記第２のボードにおける下方の溝とが互いに近接していることから、前記第１のボードにおける下方の溝と前記第２のボードにおける上方の溝との間の間隔を、実質的に、各ボードの各対の溝の間隔の２倍とすること、したがってこれらの溝に保持される薄板のサイズを２倍のサイズとすることができる。これにより、商品の販売企画に適合した、あるいはより多くの商品情報を提供することができる。
【００１２】
また、前記第２のボードにさらに他の第２のボードを継ぎ足すことにより、多数の同一サイズの薄板を保持し、さらなる商品情報を追加表示することができる。
【００１３】
前記第１のボードを同一形状を有する一対のフレームからなり、かつこれらのフレームがこれらの片面が対向した状態で結合されるときは、両フレームをプラスチック材料で形成する場合に必要とされる金型の種類を単一とすることができる。このため、複数種類の金型を準備する場合と比較して、前記第１のボードに要する製造費用を低減することができる。また、前記第１のボードの組み立て部品が一種類のみであるためにその取り扱いが容易であり、しかも両フレームを単に背中合わせにして結合すれば足り、前記第１のボードの組み立て作業を容易にすることができる。
【００１４】
両フレームの結合手段として互いに係止可能である複数の凸部及び複数の凹部とするときは、各凸部の各凹部への押し込みによるいわゆるスナップ結合をもって両者を容易かつ解除可能に結合することができる。
【００１５】
前記第２のボードがその上端部に被係止部を有し、また該被係止部に係止可能である係止部を有する少なくとも一つのハンガーを有するものとするときは、前記ハンガーを介して、前記商品情報表示用ボードを吊り下げた状態におくことができる。
【００１６】
前記第２のボードの上端部が、他の第２のボードの下端部に設けられた係止部が係止可能である被係止部を有する上端部を備えるものとすれば、前記第２のボードへの前記他の第２のボードの結合及びその解除を容易に行うことができる。
【考案を実施するための最良の形態】
【００１７】
本考案に係る商品情報表示用ボード６０（図５〜図７）は、第１のボード１０とこれに結合された第２のボード６２とを含む。商品情報表示用ボード６０の説明のため、まず、これに用いられその一部をなす第１のボード１０の一例について説明する。
【００１８】
第１のボード１０は全体に矩形状を呈する表裏両面を有し、その各面には上下に相対する一対の溝１２と、複数の窓１４とが設けられている。図示の例では、両溝１２と複数の窓１４とが各面の上半分の領域と下半分の領域とにそれぞれ配置されている。図示の例に代えて、両溝１２及び複数の窓１４の配置を上下逆とすることができる。
【００１９】
この第１のボード１０は、両溝１２間に一枚の矩形状の薄板１６を保持し、また複数の窓１４内に複数枚の矩形状の薄板１８をそれぞれ保持することができる（図２）。
【００２０】
薄板１６，１８は、紙やプラスチック材料からなり、薄板１６には、例えば店内に並べられる各商品についての名称、産地、キャッチフレーズ等からなる商品情報が表示される。また、薄板１８には、後述するように、例えば商品情報の１つである該商品の価格を表すための数字が表示される。
【００２１】
薄板１６は両溝１２の相互間隔よりわずかに大きい幅寸法（上下方向寸法）と、両溝１２の長さ寸法（横方向寸法）にほぼ等しい長さ寸法とを有する。薄板１６は、その長手方向へ伸びる下縁部及び上縁部をそれぞれ上方及び下方に向けてそれぞれ開放する両溝１２内に差し入れることにより、両溝１２に保持することができる。このとき、薄板１６はその下縁部及び上縁部間でわずかに湾曲する。
【００２２】
各窓１４は各薄板１８を受け入れるためのポケット２０と、ポケット２０内に受け入れられた各薄板１８の一部を現すための開口２２とを有する。図示の開口２２は矩形状を呈するが、これに代えて、例えば円形のような他の形状とすることができる。
【００２３】
ポケット２０はその外部に開放する上縁を有し、該上縁を通して、薄板１８をポケット２０内に挿入することができる。薄板１８には例えば０〜９までのうちのいずれか１つの数字が表され、複数の薄板１８がそれぞれ複数のポケット２０内に配置されるとき、複数の開口２２にそれぞれ前記数字が現れ、これらの一連の数字が商品の価格を表示する。また、この場合、最右端に位置することとなる薄板１８に価格の単位である「円」を表示することができる。前記数字の変更を容易にするため、図示の例におけるように、予め準備された０〜９の数字が記載された薄板１８の束をポケット２０に収容しておくことができる。
【００２４】
第１のボード１０は一部材からなるものとすることができるが、好ましくは、２つの部材すなわち同一形状の一対のフレーム２４からなるものとすることができる。各フレーム２４は全体に矩形状を呈し、一の片面２６及び他の片面２８を有する（図３）。
【００２５】
第１のボード１０は、一対のフレーム２４を背中合わせにして、すなわちこれらの他の片面２８を互いに対向させた状態で結合することにより形成されている。このため、第１のボード１０の製造に要する部品は一種類のみで足りる。また、一種類の部品のみで製造することができるため、該部品の取り扱い及び組み立てが容易である。さらに、フレーム２４はこれをプラスチック材料で形成することができるところ、その際に一種類の金型を準備すれば足りる。
【００２６】
第１のボード１０における一対の溝１２及び複数の窓１４は、各フレーム２４の一方の片面２６に設けられている。したがって、両フレーム２４を互いに結合して第１のボード１０が形成されるとき、両フレームの一方の片面２６がそれぞれ第１のボード１０の表裏両面をなす。
【００２７】
各フレーム２４は、その厚さ方向に互いに間隔をおいて相対する表板部分３０及び裏板部分３２と、これらの両板部分３０，３２間にあってこれらの板部分に連なる複数の仕切り板部分３４とを含む。複数の窓１４は、これらの板部分３０，３２と仕切り板部分３４とにより形成されている。すなわち、各窓１４のポケット２０は板部分３０，３２，３４により規定され、また開口２２は各表板部分３０に設けられている。
【００２８】
図示の例では、裏板部分３２に、各開口２２に相対する矩形の穴３６が設けられている。また、両フレーム２４が背中合わせに結合されるとき、両フレームの仕切り板部分３４が互い違いに位置する。その結果、両フレームの各ポケット２２が矩形の穴３６を介して互いに連通し、また一方のフレーム２４の各仕切り板部分３４は、ポケット２２に入れられ他方のフレーム２４の窓１４に現れる薄板１８の背当てとしての役目をも果たす。
【００２９】
なお、各フレーム２４には、その重量軽減のため、複数の矩形の穴３８〜４４が設けられている。これらの穴は、上下一対の溝１２間にあり、両溝１２間に保持される薄板１６により覆われる。
【００３０】
図３に示すように、両フレーム２４は、それぞれ、これらの相互結合のための互いに係止可能である複数の凸部及び複数の凹部、図示の例では複数のフック４６及び該フックが受け入れられる複数のスリット４８を有する。両フレーム２４を背中合わせにしたとき、一方のフレーム２４の片面２８に現れるフック４６及びスリット４８は、それぞれ、他方のフレーム２４の片面２８に現れるスリット４８及びフック４６に相対し、両フレーム２４を互いに他の一方に向けて押し付けるとき、フック４６がスリット４８に受け入れられ、いわゆるスナップ係合をする。その結果、両フレーム２４が分離可能に又は解除可能に互い結合される。両フレーム２４を相互に結合するための前記凸部及び凹部として、前記フック及びスリットに代えて、他の構造のものを採用することは任意である。
【００３１】
図示の第１のボード１０は、さらに、その上端部に被係止部、図示の例では、第２のボード６２との結合のために用いられるレール５０を有する。レール５０は、互いに結合された両フレーム２４の上端部上に設けられている。レール５０は、両フレーム２４の両端から互いに他の一方へ向けて伸びる２つの細長い突起からなる。２つの突起からなるレール５０とする図示の例に代えて、両フレーム２４の両端の一方からその他方まで連続して伸びる１の細長い突起からなるものとすることができるが、重量低減のため、これによりも長さの短い図示の例のほうが望ましい。
【００３２】
商品情報表示用ボード６０は、後述する第２のボード６２に設けられた被係止部の一例であるレール７０を、前記被係止部に係止可能である係止部すなわち前記レールに沿ってそれぞれ滑動可能に挟持する下端部を有する２つのハンガー５２を含むものとすることができる。これによれば、両ハンガー５２を介して、店舗内に、商品情報表示用ボード６０を吊持することができる。これらのレール７０及びハンガー５２を有しない場合には、第１のボード１０の下方へ伸びる扁平な下端部５１において、適当なスタンド（図示せず）を用いてこれを支持することができる。
【００３３】
図示のレール５０，７０は全体にＴ形の横断面形状を有し、また、レール７０を挟持するハンガー５２はその下端部にレール７０をその上部及びこれに連なる両側部を包み込む全体に横Ｅ形の横断面形状を有する凹所５３を備える。図５及び図６）。ハンガー５２は、その下端部の凹所５３にレール７０が相対的に差し込まれ、これにより、レール７０を挟持する。
【００３４】
両フレーム２４は、互いに突き合わされてレール５０の前記細長い突起を形成する同一形状の突起部分５４（図１及び図３）を有する。
【００３５】
次に、図５、図６及び図７を参照すると、本考案に係る商品情報表示用ボードが全体に符号６０で示されている。前記したように、商品情報表示用ボード６０は第１のボード１０と、該第１のボードの上方に配置されかつこれに解除可能に結合された第２のボード６２とを含む。
【００３６】
第２のボード６２は、本質的に、第１のボード１０の上半部と同一である。すなわち、第２のボード６２は、第１のボード１０と同じ長さ寸法及び同じ厚さ寸法を有し、さらに、第１のボード１０の前記上半部の幅寸法（上下方向の長さ寸法）と同じ幅寸法を有する。また、第２のボード６２は、全体に矩形状の両面を備え、各面に、上下に相対する一対の溝６４を有する。各面における両溝６４は、第１のボード１０における各面の両溝１２と実質的に同じ構造であり、両溝６４の相互間隔は両溝１２の相互間隔に等しい。このことから、両溝６４にも、両溝１２に保持される薄板と同様の薄板１６を保持することができる（図７）。
【００３７】
また、第１のボード１０における両溝のうちの上方の溝１２と、第２のボード６２における両溝のうちの下方の溝６４とが互いに近接している。このことから、これらの上方の溝１２と下方の溝６４とを１組として、この１組の溝で、薄板１６の２倍の大きさの薄板、すなわち２倍の幅寸法を有する薄板６６を保持することができる。大面積の薄板６６には、商品情報をより大きい字で表し、あるいはより多く示すことができる。
【００３８】
薄板１６及び６６として、それぞれ、例えば規格サイズの紙片であるＢ列５判ハーフ及びＢ列５判の紙片を使用することができる。
【００３９】
第１のボード１０及び第２のボード６２は、それぞれ、これらの上端部及び下端部において連結されている。第１のボード１０の上端部には前記したレール５０が設けられている。また、第２のボードの下端部はその長手方向に伸びかつ下方に開放する凹所であってレール５０をその上部及びこれに連なる両側部を包み込む横Ｃ形の横断面形状を有する凹所６８を備える。第２のボード６２は、その下端部の凹所６８にレール５０が相対的に差し込まれるとき、レール５０を挟持する。これにより、第１のボード１０に第２のボード６２が解除可能に結合される。
【００４０】
図示の例では、前記したように、第１のボード１０のレール５０と同様のレール７０が第２のボード６２の上端部に設けられている。このことから、複数の第２のボード６２を準備しておけば、第１のボード１０に結合された第２のボード６２にさらに他の第２のボード６２を結合することができ、必要に応じて他の第２のボード６２にさらに他の第２のボード６２を接続することができる。
【００４１】
これによれば、一の商品情報表示用ボード６０に、同一サイズの紙片のような薄板１６を追加的に保持し、これにより追加的に商品情報を提示することができる。また、いずれか２つの第２のボード６２の溝６４（下方位置ある第２のボードの位置の溝６４とこれより上方位置にある第２のボードの上方の溝６４）を利用して、あるいは第１のボードの下方の溝１２及びいずれか１つの第２のボード６２の上方の溝６４を利用して、薄板１６の整数倍の大きさの薄板の保持が可能であり、このような大きさの薄板を用いてのより有用な商品情報の表示及び提示が可能である。
【図面の簡単な説明】
【００４２】
【図１】本考案に係る商品情報表示用ボードにおける第１のボードの一例の斜視図である。
【図２】第１のボードの縦断面図である。
【図３】一対のフレームの分解斜視図である。
【図４】フレームをその長手方向中央部で切断して示す断面斜視図である。
【図５】第１のボードと第２のボードとを含む商品情報表示用ボードの斜視図である。
【図６】図５に示す商品情報表示用ボードの側面図である。
【図７】ハンガーを除いて示す商品情報表示用ボードの縦断面図である。
【符号の説明】
【００４３】
１０  第１のボード
１２，６４  溝
１４  窓
１６，１８，６６  薄板（紙片）
２４  フレーム
２６，２８  フレームの片面
４６，４８  フック（凸部）及びスリット（凹部）
５０，７０  レール（被係止部）
５２  ハンガー
５３，６８  凹所（係止部における凹所）
６０  商品情報表示用ボード
６２  第２のボード
【図１】
0003103473.tif 000003
【図２】
0003103473.tif 000004
【図３】
0003103473.tif 000005
【図４】
0003103473.tif 000006
【図５】
0003103473.tif 000007
【図６】
0003103473.tif 000008
【図７】
0003103473.tif 000009